(57)【要約】  照明装置１は、複数の点状光源１０と、点状光源１０からの光入射面２２から入射し光出射面２４から出射する導光板２０とを備える。導光板２０は、光出射面２４に２つの短辺と２つの長辺とを有する略矩形状の有効領域と、有効領域の外側で導光板端面との間の非有効領域とを備える。点状光源１０は、非有効領域の直下で長辺に沿って間隔をあけて配列される。光入射面２２には、各点状光源１０の直上の位置に点状光源から入射した全光のうち５０％を超える光の方向を導光板２０の厚み方向に略垂直で、かつ有効領域側に向かう方向へ変換する凹部４０が形成される。凹部４０で変換された光の半値放射角は、点状光源１０から出射し導光板２０に入射する前の光の半値放射角より大きい。
2009001802.tif 000002
【特許請求の範囲】
【請求項１】
複数の点状光源と、これらの点状光源からの光が一方の主面ＳＡから入射し、その内部を通って他方の主面ＳＢまたは前記一方の主面ＳＡにおける前記入射箇所とは異なる他の箇所から出射する導光板とを備える照明装置であって、
光が出射する主面には、２つの短辺と２つの長辺とを有する略矩形状の有効領域と、この有効領域の外側で当該導光板の端面との間の非有効領域とが設けられ、
前記複数の点状光源は、前記非有効領域の直下の位置に、前記長辺または前記短辺に沿った方向に沿って間隔をあけて配列され、
前記導光板は、前記一方の主面ＳＡおよび前記他方の主面ＳＢの少なくともいずれかにおいて、前記複数の点状光源のうちの少なくともいずれかの点状光源の直上の位置に、当該点状光源から当該導光板の内部に入射した全光のうちの５０％を超える光の方向を、当該導光板の厚み方向に略垂直で、かつ前記有効領域側に向かう方向へと変換する光線方向変換部を備え、
この光線方向変換部で変換された光線の半値放射角が、前記点状光源から出射し前記導光板に入射する前の光線の半値放射角より大きい照明装置。
【請求項２】
請求項１に記載の照明装置において、
前記光線方向変換部は、当該導光板の厚み方向を軸とする円錐面のうち、前記有効領域側に傾斜した円錐面の一部としての円錐面部を有し、かつ当該導光板の厚み方向に凹んだ凹部であり、
前記点状光源は、その発光面が、前記凹部が形成されていない主面に前記円錐面部を投影した範囲である入射領域の直下となるように配列される照明装置。
【請求項３】
請求項２に記載の照明装置において、
前記複数の点状光源が前記長辺に沿った方向に配列され、
前記凹部の、前記円錐面の頂点を通り、かつ前記短辺に沿った方向の断面で表される線を母線とした際に、前記点状光源の中心が前記母線の直下に位置する照明装置。
【請求項４】
請求項２に記載の照明装置において、
前記複数の点状光源が前記短辺に沿った方向に配列され、
前記凹部の、前記円錐面の頂点を通り、かつ前記長辺に沿った方向の断面で表される線を母線とした際に、前記点状光源の中心が前記母線の直下となる照明装置。
【請求項５】
請求項３または４に記載の照明装置において、
前記導光板の厚み方向と前記母線とのなす角度をα（度）とし、前記導光板を構成する材料の屈折率をＮとし、各点状光源の半値放射角度をβ（度）とした際に、
０．８×α０＜α＜１．２×α０
α０＝ａｒｃｓｉｎ（１／Ｎ）＋ａｒｃｓｉｎ（（ｓｉｎβ）／Ｎ）
の関係を満たす照明装置。
【請求項６】
請求項５に記載の照明装置において、
前記導光板の厚みをＨとし、前記凹部と当該凹部が形成された主面とのなす円弧の弦の長さをＬとした際に、
０．８×Ｄ０＜Ｌ＜１．２×Ｄ０
Ｄ０＝２×Ｈ／ｔａｎα
の関係を満たす照明装置。
【請求項７】
請求項１に記載の照明装置において、
前記光線方向変換部は、前記他方の主面ＳＢにおける前記長辺近傍の長辺側端部または前記短辺近傍の短辺側端部に形成されるとともに、当該形成された側の端部近傍の辺と平行であり、かつ当該導光板の厚み方向に対して前記有効領域の内側に傾斜した傾斜平面である第１変換部を備え、
各点状光源は、その発光面が前記傾斜平面を前記一方の主面ＳＡに投影した範囲である入射領域の直下に配列され、
前記光線方向変換部は、前記傾斜平面および前記入射領域の少なくともいずれかに形成されたプリズム条列である第２変換部をさらに備え、
前記プリズム条列は、前記点状光源の配列方向に垂直な方向に延びる線状プリズムが前記点状光源の配列方向に沿って複数並んで構成されたものであり、
前記線状プリズムは、その長手方向に垂直な断面が円弧もしくは楕円弧を含む形状、または多角形状である照明装置。
【請求項８】
請求項７に記載の照明装置において、
各点状光源の中心が、前記入射領域における、当該点状光源の配列方向に直交する方向の中間位置の直下に位置する照明装置。
【請求項９】
請求項７または８に記載の照明装置において、
前記傾斜平面の、当該導光板の厚み方向に対する傾斜角度をθ（度）とし、前記導光板を構成する材料の屈折率をＮとし、各点状光源の半値放射角度をβ（度）とした際に、
０．８×θ０＜θ＜１．２×θ０
θ０＝ａｒｃｓｉｎ（１／Ｎ）＋ａｒｃｓｉｎ（（ｓｉｎβ）／Ｎ）
の関係を満たす照明装置。
【発明の詳細な説明】
【技術分野】
【０００１】
本発明は、照明装置に関し、特に、照度むらを抑えることができて、かつ点状光源からの光をより一層有効に利用できる照明装置に関する。
【背景技術】
【０００２】
近年、液晶ディスプレイ用のバックライト装置として、導光板の直下に、点状光源としての発光ダイオード（ＬＥＤ）を複数配置したものが検討されている。このようなバックライト装置としては、例えば、導光板と、この導光板の端部の直下に配置された複数のＬＥＤとを備えたバックライト装置であって、導光板の出射側の主面に円錐状の凹部が形成され、ＬＥＤは、その中心が前記円錐の頂点の直下に位置するように配置され、導光板の端部にリフレクタが設けられたものが開示されている（特許文献１（特開２００６−３５１３７５号公報）参照）。
【発明の開示】
【発明が解決しようとする課題】
【０００３】
しかしながら、特許文献１に示す構成では、発光面の照度むらを抑えることができるものの、必ずしも照度が十分ではなく、点状光源から発せられる光を十分に利用できておらず、照明装置としては必ずしも十分な性能を有していなかった。本発明の目的は、照度むらを抑えることができて、かつ点状光源からの光をより一層有効に利用できる照明装置を提供することである。
【課題を解決するための手段】
【０００４】
本発明は、複数の点状光源と、これらの点状光源からの光が一方の主面ＳＡから入射し、その内部を通って他方の主面ＳＢまたは前記一方の主面ＳＡにおける前記入射箇所とは異なる他の箇所から出射する導光板とを備える照明装置であって、光が出射する主面には、２つの短辺と２つの長辺とを有する略矩形状の有効領域と、この有効領域の外側で当該導光板の端面との間の非有効領域とが設けられ、前記複数の点状光源は、前記非有効領域の直下の位置に、前記長辺または前記短辺に沿った方向に沿って間隔をあけて配列され、前記導光板は、前記一方の主面ＳＡおよび前記他方の主面ＳＢの少なくともいずれかにおいて、前記複数の点状光源のうちの少なくともいずれかの点状光源の直上の位置に、当該点状光源から当該導光板の内部に入射した全光のうちの５０％を超える光の方向を、当該導光板の厚み方向に略垂直で、かつ前記有効領域側に向かう方向へと変換する光線方向変換部を備え、この光線方向変換部で変換された光線の半値放射角が、前記点状光源から出射し前記導光板に入射する前の光線の半値放射角より大きいものである。【０００５】
ここで、導光板の光入射面および光出射面の態様としては、例えば以下の場合を挙げることができる。すなわち、第１の態様としては、一方の主面ＳＡの、ある箇所から光を入射し、当該一方の主面ＳＡの他の箇所から光を出射する態様である。また、第２の態様としては、一方の主面ＳＡから光を入射し、他方の主面ＳＢから光を出射する態様である。【０００６】
また、点状光源の配列の態様としては、例えば、導光板に設けられた有効領域の長辺に沿って配置する態様と、短辺に沿って配置する態様とを挙げることができる。なお、点状光源の配列する箇所は、導光板の端部に沿って配列することが好ましく、長辺側の端部に沿って配列することがより好ましいが、これらには限定されない。【０００７】
本発明によれば、光線方向変換部により、点状光源から入射した全光のうちの５０％を超える光を導光板の厚み方向に略垂直な方向で、かつ有効領域側に向かう方向へと変換し、その際、光源の半値放射角よりも大きな半値放射角となるように拡げるため、導光板の有効領域における照度むらを抑えることができるとともに、点状光源から出射される光を有効に利用でき、ひいては照明装置の照度向上を図ることができる。【０００８】
ここで、前記光線方向変換部は、当該導光板の厚み方向を軸とする円錐面のうち、前記有効領域側に傾斜した円錐面の一部としての円錐面部を有し、かつ当該導光板の厚み方向に凹んだ凹部であり、前記点状光源は、その発光面が、前記凹部が形成されていない主面に前記円錐面部を投影した範囲である入射領域の直下となるように配列される構成とすることができる。このような構成によれば、導光板の一方の主面ＳＡに凹部を形成するだけで比較的容易に成形できる。【０００９】
以上の照明装置において、前記複数の点状光源が前記長辺に沿った方向に配列され、前記凹部の、前記円錐面の頂点を通り、かつ前記短辺に沿った方向の断面で表される線を母線とした際に、前記点状光源の中心が前記母線の直下に位置する構成とすることができる。また、前記複数の点状光源が前記短辺に沿った方向に配列され、前記凹部の、前記円錐面の頂点を通り、かつ前記長辺に沿った方向の断面で表される線を母線とした際に、前記点状光源の中心が前記母線の直下となる構成とすることもできる。これらの構成によれば、比較的放射角度の大きな点状光源を用いた場合でも、多くの光を導光板内へと導くことができ、点状光源からの光をより一層有効に利用できる。【００１０】
また、以上の照明装置において、前記導光板の厚み方向と前記母線とのなす角度をθとし、前記導光板を構成する材料の屈折率をＮとし、各点状光源の半値放射角度をβとした際に、下記（i），（ii）の関係を満たすことが好ましい。このような関係を満たす構成とすることにより、点状光源からの光をより一層有効に利用できる。
（i）０．８×α０＜α＜１．２×α０
（ii）α０＝ａｒｃｓｉｎ（１／Ｎ）＋ａｒｃｓｉｎ（（ｓｉｎβ）／Ｎ）【００１１】
また、以上の照明装置において、前記導光板の厚みをＨとし、前記凹部と当該凹部が形成された主面とのなす円弧の弦の長さをＬとした際に、下記（iii），（iv）の関係を満たすことが好ましい。このような関係を満たす構成とすることにより、点状光源からの光をより一層有効に利用できる。
（iii）０．８×Ｄ０＜Ｌ＜１．２×Ｄ０
（iv）Ｄ０＝２×Ｈ／ｔａｎα【００１２】
前記照明装置において、前記光線方向変換部は、前記他方の主面ＳＢにおける前記長辺近傍の長辺側端部または前記短辺近傍の短辺側端部に形成されるとともに、当該形成された側の端部近傍の辺と平行であり、かつ当該導光板の厚み方向に対して前記有効領域の内側に傾斜した傾斜平面である第１変換部を備え、各点状光源は、その発光面が前記傾斜平面を前記一方の主面ＳＡに投影した範囲である入射領域の直下に配列され、前記光線方向変換部は、前記傾斜平面および前記入射領域の少なくともいずれかに形成されたプリズム条列である第２変換部をさらに備え、前記プリズム条列は、前記点状光源の配列方向に垂直な方向に延びる線状プリズムが前記点状光源の配列方向に沿って複数並んで構成されたものであり、前記線状プリズムは、その長手方向に垂直な断面が円弧もしくは楕円弧を含む形状、または多角形状である構成とすることもできる。このような構成によれば、導光板に傾斜平面とプリズム条列を形成するだけで比較的容易に成形できる。【００１３】
ここで、前記照明装置において、各点状光源の中心が、前記入射領域における、当該点状光源の配列方向に直交する方向の中間位置の直下に位置することが好ましい。このような構成によれば、点状光源からの光を有効に活用できる。【００１４】
前記照明装置において、前記傾斜平面の、当該導光板の厚み方向に対する傾斜角度をαとし、前記導光板を構成する材料の屈折率をＮとし、各点状光源の半値放射角度をβとした際に、（v），（vi）の関係を満たすことが好ましい。このような構成によれば、点状光源からの光をより一層有効に活用できる。
（v）０．８×θ０＜θ＜１．２×θ０
（vi）θ０＝ａｒｃｓｉｎ（１／Ｎ）＋ａｒｃｓｉｎ（（ｓｉｎβ）／Ｎ）
【発明の効果】
【００１５】
本発明のバックライト装置によれば、光線方向変換部により、点状光源から入射した全光のうちの５０％を超える光を導光板の厚み方向に略垂直で、かつ有効領域側に向かう方向へと変換し、その際、光源の半値放射角よりも大きな半値放射角となるように拡げるため、導光板の有効領域における照度むらを抑えることができるとともに、点状光源から出射される光を有効に利用でき、ひいては照明装置の照度向上を図ることができるという効果がある。
【図面の簡単な説明】
【００１６】
【図１】図１は、本発明の第１の実施形態に係る照明装置を説明するための平面図である。
【図２】図２は、図１のII−II断面図である。
【図３】図３は、導光板の長辺側の端部の一部を拡大して示す斜視図である。
【図４】図４は、図１のIV−IV断面の一部を示す図である。
【図５】図５は、図１の一部を拡大して示す拡大平面図である。
【図６】図６は、本発明の第２の実施形態に係る照明装置を説明するための平面図である。
【図７】図７は、図６のVII−VII断面の一部を示す図である。
【図８】図８は、前記照明装置に用いられる導光板の一部を上側から見た状態を示す斜視図である。
【図９】図９は、前記導光板の一部を下側から見た状態を示す斜視図である。
【図１０】図１０は、前記第２の実施形態に用いられる導光板の変形例を部分的に示す斜視図である。
【図１１】図１１は、前記第２の実施形態に用いられる導光板の変形例を部分的に示す斜視図である。
【図１２】図１２は、比較例２に係る照明装置を示す縦断面図である。
【図１３】図１３は、実施例１に係る照明装置の一部を示す縦断面図である。
【図１４】図１４は、実施例１に係る照度計算のための導光板の形状を示す上面図である。
【図１５】図１５は、図１４に示す導光板の斜視図である。
【図１６】図１６は、図１４に示す導光板の底面に設けたドットの形状を示す平面図である。
【図１７】図１７は、図１４に示す導光板の底面に設けたドットの形状を示す平面図である。
【図１８】図１８は、実施例及び比較例における出射照度と端部１４２０Ｂからの距離との関係を示すグラフである。
【図１９】図１９は、実施例及び比較例における出射照度と１４２０Ｗ方向の位置との関係を示すグラフである。
【図２０】図２０は、本発明の照明装置における導光板の面上に設けうる線状プリズムの構造の一例を示す斜視図である。
【図２１】図２１は、図２０に示す線状プリズムの縦断面図である。
【図２２】図２２は、本発明の照明装置における導光板の面上に設けうる線状プリズムの構造の別の一例を示す縦断面図である。
【図２３】図２３は、本発明の照明装置における導光板の面上に設けうる線状プリズムの構造のさらに別の一例を示す縦断面図である。
【図２４】図２４は、本発明の照明装置における導光板の面上に設けうる線状プリズムの構造のさらに別の一例を示す縦断面図である。
【図２５】図２５は、本発明の照明装置における導光板の面上に設けうる線状プリズムの構造のさらに別の一例を示す縦断面図である。
【図２６】図２６は、本発明の照明装置における導光板の面上に設けうる線状プリズムの構造のさらに別の一例を示す縦断面図である。
【発明を実施するための最良の形態】
【００１７】
＜第１の実施形態＞
以下、本発明の第１の実施形態に係る照明装置１について図面を用いて説明する。図１は、本発明の第１の実施形態に係る照明装置１を説明するための平面図である。図２は、図１のII−II断面図である。図１，図２に示すように、本実施形態の照明装置１は、基板５と、この基板５の上に配置された複数の点状光源１０と、これらの点状光源１０の上方に配置された導光板２０と、基板５上における点状光源１０の配置されていない箇所を覆うように配置された反射シート３０とを備えている。【００１８】
図１に示すように、導光板２０は、一対の長辺部（長辺側端部）２６Ｌと一対の短辺部（短辺側端部）２６Ｓとからなる平面視略矩形の板状の樹脂成形品である。図２に示すように、導光板２０は、点状光源１０からの光を入射する、一方の主面ＳＡとしての光入射面２２と、この入射した光を出射する、他方の主面ＳＢとしての光出射面２４とを有している。光入射面２２および光出射面２４は、それぞれ平滑面である。ここで、平滑面とは、算術平均粗さＲａが５０ｎｍ以下の面のことである。ただし、必要に応じて、導光板２０の入射面２２及び出射面２４のぞれぞれの全面または一部を、前記平滑面よりも表面の粗い粗面とすることもできる。かかる粗面としては、例えば、サンドブラストによりシボパターンを付与した粗面、印刷ドットパターンを有する面、エッチングドットパターンを有する面、凹部または凸部からなる略半球状のドットパターンを有する面、及びこれらを組み合わせて有する面を挙げることができる。前記各種のドットパターンは、点状光源近傍から離れるにつれて、その数が疎から密に変化するよう分布させることができる。【００１９】
また、入射面２２及び出射面２４のぞれぞれの全面または一部には、凸状又は凹状の線状プリズムを略平行に複数設けてもよい。その際、線状プリズムは、図１４の方向１４２０Wと略平行に設けてもよいし、方向１４２０L２と略平行に設けてもよく、それらを組み合わせてもよい。本発明において、線状「プリズム」とは、広義に解し、その長手方向に垂直な断面における形状が多角形であるもののみならず、円若しくは楕円の一部である形状又はそれに近似した曲線及び直線からなる形状（例えばいわゆるレンチキュラーレンズの形状）であるものをも含む。線状のプリズムとしては具体的には例えば図２０及び図２１に示す断面が三角形状の線状プリズム２０５１、図２２に示す断面が半円形状の線状プリズム２０５２、及び図２３に示す半円が反転した形状の線状プリズム２０５３を挙げることができる。また、図２４及び図２５に示すように、並列する凸状の線状プリズム２０５４又は凹状の線状プリズム２０５５の間に平坦な部分２０６１又は２０６２を設けることもできる。さらには、図２６に示すように、光源１０から離れるにつれて平坦な部分２０６３が狭くなり、それにより線状プリズム２０５６の間隔が狭くなるように構成することができる。また、前記粗面と前記線状プリズムを、入射面２２及び出射面２４に組み合わせて用いることも出来る。【００２０】
導光板２０には、一対の長辺ＸＬと一対の短辺ＸＳとからなる略矩形の有効領域Ｘが設けられている。図２に示すように、導光板２０の一対の長辺部２６Ｌには、光出射面２４側から厚み方向に凹んだ光線方向変換部を形成する凹部４０が長辺部２６Ｌに沿って略均等な間隔で複数形成されている。これらの凹部４０は、点状光源１０の配列間隔に応じた間隔で形成されている。この凹部４０は、点状光源１０から入射した全光の５０％を超える光の方向を入射方向とは異なる方向、具体的には、導光板２０の厚み方向に略垂直な方向（図１中の上下方向）であって、かつ導光板２０の有効領域Ｘ側へと変換する機能を有している。また、凹部４０は、点状光源１０から出射した光の半値放射角β（図２参照）よりも、導光板２０内で方向変換された前記５０％を超える光の半値放射角ω（図１参照）が大きくなるように、前記５０％を超える光を導光板２０の厚みに略垂直な方向（図１中の左右方向、点状光源の配列方向）に拡げる機能を有している。ここで、点状光源１０の半値放射角度βは、６０度以下、好ましくは３０度以下である。点状光源１０の半値放射角βを上記範囲とすることにより、導光板２０の外部へと出て行く光の割合を抑えることができ、光の利用効率をより一層高めることができる。また、導光板２０内で方向変換された前記５０％を超える光の半値放射角ωは、点状光源１０の半値放射角βの１．２倍以上であることが好ましい。これにより、照度むらをより一層低減することができる。なお、半値放射角ωは、導光板の厚み方向の、最も光度の高くなる高さ位置で求めた値であり、導光板の有効領域に向って最も光度が高くなる方向を中心線として、光度がその１/２となる点状光源配列方向の広がり角度のことである。【００２１】
図３は、導光板の長辺側の端部の一部を拡大して示す斜視図である。図３に示すように、各凹部４０は、長辺部２６Ｌに沿った方向の寸法Ｌを有し、導光板の厚み方向を軸とする円錐面の一部である円錐面部を有する。各凹部４０は、導光板２０の長辺部２６Ｌにおける、光出射面２２の角部分および端面を切り取るようにして形成されている。各凹部４０は、その頂点４０Ｔが入射面２２の位置となるように形成されている。このため、各凹部４０の深さ寸法は、導光板２０の厚み寸法に一致し、各凹部４０の出射面２４における開口部２４Ａの形状は、半径Ｌ／２の半円である。【００２２】
導光板２０の厚みは、１．０ｍｍ〜１０．０ｍｍであることが好ましく、１．５ｍｍ〜６．０ｍｍであることがより好ましい。導光板２０の厚みを上記好適な範囲とすることにより、自重による撓みを抑えることができるとともに、照明装置１の薄型化を図ることができる。【００２３】
導光板２０を構成する樹脂としては、特に限定されず、例えば、透明樹脂や、透明樹脂に光拡散剤を分散させたもの等を用いることができる。前記透明樹脂とは、ＪＩＳ  Ｋ７３６１−１に基づいて、両面平滑な２ｍｍ厚の板で測定した全光線透過率が７０％以上の樹脂のことであり、例えば、ポリエチレン、プロピレン−エチレン共重合体、ポリプロピレン、ポリスチレン、芳香族ビニル単量体と低級アルキル基を有する（メタ）アクリル酸アルキルエステルとの共重合体、ポリエチレンテレフタレート、テレフタル酸−エチレングリコール−シクロヘキサンジメタノール共重合体、ポリカーボネート、アクリル樹脂、および脂環式構造を有する樹脂などを挙げることができる。なお、（メタ）アクリル酸とは、アクリル酸およびメタクリル酸のことである。【００２４】
前記光拡散剤は、光線を拡散させる性質を有する粒子であり、無機フィラーと有機フィラーとを挙げることができる。無機フィラーとしては、シリカ、水酸化アルミニウム、酸化アルミニウム、酸化チタン、酸化亜鉛、硫酸バリウム、マグネシウムシリケート、およびこれらの混合物を挙げることができる。有機フィラーとしては、アクリル樹脂、ポリウレタン、ポリ塩化ビニル、ポリスチレン樹脂、ポリアクリロニトリル、ポリアミド、ポリシロキサン樹脂、メラミン樹脂、およびベンゾグアナミン樹脂等を挙げることができる。【００２５】
点状光源１０は、例えば発光ダイオード（ＬＥＤ）を挙げることができる。このＬＥＤとしては、赤（Ｒ）、緑（Ｇ）、青（Ｂ）の各色光を発するものを挙げることができ、また、複数の点状光源としては、前記３種類のＬＥＤを含むセットを白色光を発するＬＥＤとして用いる態様や、Ｒ，Ｇ，Ｂの三色のチップを１つに封止した白色ＬＥＤとした態様、青または紫外線発光チップと蛍光体との組み合わせからなるＬＥＤとした態様とすることができる。点状光源１０は、図示を省略するが、例えば、発光体と、この発光体を封入する筐体とを備え、筐体は、箱形の筐体本体と、この筐体本体の上面において、光を出射する透明窓として構成された発光面とを備えて構成できる。【００２６】
図１，図２に示すように、複数の点状光源１０は、有効領域Ｘの長辺ＸＬ（導光板２０の長辺部２６Ｌ）に沿って配列されている。各点状光源１０は、対応する一つの凹部４０の直下に配置されている。【００２７】
図４は、図１のIV−IV断面の一部を示す図である。図５は、図１の一部を拡大して示す拡大平面図である。図４，図５において、凹部４０を構成する円錐の頂点４０Ｔを通り、かつ短辺ＸＳに沿った方向の断面で表される線を母線Ｍとし、光出射面２４における端点をＡとし、光入射面２２における端点をＢとする。図４，図５に示すように、点状光源１０は、その中心１０Ｔが母線Ｍの中間点Ｃ（直線ＡＢの中点）の直下に位置するように配置されている。【００２８】
ここで、照明装置１では、導光板２０の厚み方向と母線Ｍのなす角度をα（度）とし、導光板２０を構成する材料の屈折率をＮとし、各点状光源１０の半値放射角度をβ（度）とした際に、下記（ｉ），（ii）の関係を満たしている。このような関係を満たすことにより、点状光源１０から導光板２０内に入った放射光線のほぼ全量を導光板２０の母線Ｍを含む円錐面部で全反射させることができて、光量の損失を最小限に抑え光源の光線方向転換を行うことができる。すなわち、角度αを１．２α０未満とすることにより、半値放射角度βを超える放射角度の大きい光線の一部が全反射の条件から外れて、導光板２０の外部へ漏れる分が少なくなるため、光をより一層有効に活用できる。また、角度αを０．８α０超とすることにより、半値放射角度βを超える放射角度の大きな光線の一部を全反射させるための母線Ｍの長さを比較的短くできて、導光板２０の厚みをなるべく薄くすることができる。従って、このような条件を満たし易くするためには、導光板２０を構成する樹脂の屈折率を比較的大きくすることが好ましく、また、半値放射角βが比較的小さな点状光源を用いることが好ましい。
（i）  ０．８×α０＜α＜１．２×α０ 
（ii）  α０＝ａｒｃｓｉｎ（１／Ｎ）＋ａｒｃｓｉｎ（（ｓｉｎβ）／Ｎ）【００２９】
また、導光板２０の厚みをＨとし、凹部４０と当該凹部４０が形成された光出射面２２とのなす円弧Ｘ１の弦Ｘ２の長さをＬとした際に、下記（iii），（iv）の関係を満たしている。このような関係を満たすことにより、点状光源１０からの放射光線のほぼ全量を、凹部４０の円錐面部で全反射させ光源１０の配列方向へ広い放射角度で分散させることができる。すなわち、長さＬを０．８Ｄ０超とすることにより、凹部の円錐面で全反射させる光線の量を増やすことができ、長さＬを１．２Ｄ０未満とすることにより、凹部の円錐面での反射による分散の放射角度を広くできて、照度むらを低減できる。
（iii）  ０．８Ｄ０＜Ｌ＜１．２×Ｄ０
（iv）  Ｄ０＝２×Ｈ／ｔａｎα【００３０】
反射シート３０としては、例えば、白色または銀色に着色された樹脂、および金属等を用いたシート状のものを用いることができ、また、表面を粗面化した構成や、表面に微小なプリズムを設けた構成等としてもよい。【００３１】
基板５は、図示しない駆動回路等からの信号を各点状光源１０に送るための部材であり、平板状に形成されている。ただし、基板は、点状光源１０が配置されていない部分のみを導光板２０の光入射面２２に近接させた断面クランク状（図１３参照）としてもよい。このような構成とすることにより、駆動回路等を配置するスペースとして有効利用でき、照明装置の薄型化を図ることができる。この際、反射シート３０は、基板の形状に沿ってクランク状に配置することが好ましい。【００３２】
以上のような照明装置１では、各点状光源１０から出射された光の方向は、各凹部４０の円錐面部によって、一対の短辺ＸＳの中間点同士を結んだ短辺中心線Ｂの方向や点状光源１０の配列方向に変換されて、導光板２０の内部へと進行する。この際、凹部４０が円錐面であるとともに、点状光源凹部４０の母線Ｍの直下に配置したことから、点状光源１０から出射した光のうちの少なくとも５０％超の光が導光板２０の有効領域Ｘ側に進み、この光が導光板２０の厚みに垂直な方向にまんべんなく広がることとなる。その後、有効領域Ｘ側に進んだ光は、光入射面２２等に形成された例えばプリズム等の光取出部により、さらに進行方向が変換され光出射面２４から出射する。これにより、導光板２０の有効領域Ｘは、均一な輝度を有する面光源となる。【００３３】
本実施形態によれば、以下のような効果がある。
（１）凹部４０を円錐面の一部により形成したことにより、点状光源１０から入射した光の５０％超えの光が凹部４０の曲面によって導光板２０の内部にまんべんなく広がるため、有効領域Ｘでの照度むらを低減できる。【００３４】
（２）凹部４０の母線Ｍの直下となる位置に点状光源１０を配置したので、点状光源１０から入射する光の少なくとも５０％を超える光が導光板２０の内部へと進む。このため、点状光源１０からの光を有効に活用でき、照明装置１の照度を高めることができる。さらに、凹部４０の母線Ｍの中間点Ｃの直下となる位置に点状光源１０を配置したので、比較的放射角度の大きな点状光源１０を用いた場合でも、なるべく多くの光を導光板２０内へと導くことができ、点状光源１０からの光を有効に利用できて、照明装置１の照度向上を図ることができる。【００３５】
（３）点状光源１０を長辺ＸＬに沿って配置し、導光板２０の有効領域Ｘの中心までの距離を短くしたため、点状光源１０を短辺ＸＳに沿って配置する場合に比べて、光出射面２４での照度むらを抑えることができる。【００３６】
＜第２の実施形態＞
本発明の第２の実施形態に係る照明装置２について図面を用いて説明する。なお、第１の実施形態と同様の構成要素については、同じ符号を付してその説明を省略または簡略化する。図６は、本発明の第２の実施形態に係る照明装置２を説明するための平面図である。図７は、図６のVII−VII断面の一部を示す図である。図８は、照明装置２に用いられる導光板１００の一部を上側から見た状態を示す斜視図である。図９は、導光板１００の一部を下側から見た状態を示す斜視図である。【００３７】
図７に示すように、照明装置２は、基板５と、この基板５の上に配置された複数の点状光源１０と、これらの点状光源１０の上方に配置された導光板１００と、基板５上における点状光源１０の配置されていない箇所を覆うように配置された反射シート３０とを備えている。【００３８】
図６に示すように、導光板１００は、一対の長辺１１０Ｌおよび一対の短辺１１０Ｓを有する略矩形で板状の導光板本体１１０を備えている。導光板本体１１０は、一方の主面である光入射面１１２と、他方の主面である光出射面１１４とを有している。導光板本体１１０には、有効領域Ｘが設けられている。【００３９】
図７に示すように、導光板本体１１０の光出射面１１２において、長辺１１０Ｌの端部には、入射した光の方向を変換する傾斜平面１２０が形成されている。傾斜平面１２０は、導光板本体１１０の厚み方向に対して、有効領域Ｘの内側に傾斜し、かつ長辺１１０Ｌに平行な平面である。【００４０】
照明装置２では、傾斜平面１２０の傾斜角度θは、導光板１００を構成する材料の屈折率をＮとし、各点状光源１０の半値放射角度をβ（度）とした際に、下記（v），（vi）の関係を満たしている。このような関係を満たすことにより、点状光源１０からの導光板１００内に入った放射光線のほぼ全量を傾斜平面１２０で全反射させられるため、光量の損失を最小限に抑え光源の光線方向転換を行うことができ、より一層照度を向上できる。すなわち、角度θを１．２θ０未満とすることにより、半値放射角度βを超える放射角度の大きい光線の一部が全反射の条件から外れて、導光板１００の外部へ漏れる分が少なくなるため、光をより一層有効に活用できる。また、角度θを０．８θ０超とすることにより、半値放射角度βを超える放射角度の大きな光線の一部を全反射させるための母線Ｍの長さを比較的短くできて、導光板１００の厚みをなるべく薄くすることができる。従って、このような条件を満たし易くするためには、導光板１００を構成する樹脂の屈折率を比較的大きくすることが好ましく、また、半値放射角βが比較的小さな点状光源を用いることが好ましい。
（v）０．８×θ０＜θ＜１．２×θ０
（vi）θ０＝ａｒｃｓｉｎ（１／Ｎ）＋ａｒｃｓｉｎ（（ｓｉｎβ）／Ｎ）【００４１】
導光板１００は、導光板本体１１０の光入射面１１２において、長辺１１０Ｌ近傍に当該光入射面１１２から突出するように形成されたプリズム条列１３０を備えている。プリズム条列１３０は、短辺１１０Ｓの方向に沿って延びる線状プリズム１３２が長辺１１０Ｌの方向に沿って複数並んで構成されている。本実施形態では、線状プリズム１３２は、長手方向に垂直な断面が円弧を含む形状であり、いわゆるレンチキュラーレンズ状である。線状プリズム１３２の長手方向の寸法は、傾斜面１２０を光入射面１１２に投影した範囲である入射領域１１２Ａの長さ寸法と同じである。線状プリズム１３２の幅寸法は、例えば１μｍ〜２００μｍとすることができ、特に、回折現象で光源光の色分散が発生しない点や、加工の容易性の点で、５０μｍ〜１５０μｍが好ましい。なお、これらの線状プリズム１３２は、すべて同一の形状である。【００４２】
複数の点状光源１０は、プリズム条列１３０の直下、すなわち入射領域１１２Ａの直下に、一対の長辺１１０Ｌに沿って均等な間隔で配列されている。具体的には、点状光源１０は、線状プリズム１３２の長手方向の中間位置の直下に配置されている。従って、プリズム条列１３０は、点状光源１０の配列方向に垂直な方向に延びる線状プリズム１３２が点状光源１０の配列方向に沿って複数並んだ構成である。【００４３】
このような照明装置２では、点状光源１０から出射した全光のうち５０％超の光は、プリズム条列１３０によりその進行方向が導光板の長辺方向（プリズムの幅方向）へ変換され、この変換された光は傾斜平面１２０により導光板１００の内部へと導かれる。導光板の内部に導かれた光は、光入射面１１２等に形成された例えばプリズム等の光取出部により、さらに進行方向が変換され光出射面１１４から出射する。これにより、導光板１００の有効領域Ｘは、均一な照度を有する面光源となる。【００４４】
本実施形態によれば、前記（３）の効果に加えて、以下のような効果がある。
（４）プリズム条列１３０により、点状光源１０から出射された全光の５０％超の光を導光板１００の内部へと有効領域Ｘ内にまんべんなく導くことができ、有効領域Ｘでの照度むらを低減できる。【００４５】
（５）プリズム条列１３０から導光板１００内に導かれた光は、その方向が傾斜平面１２０により導光板１００の主面に沿った方向へと変換される。このため、点状光源１０からの光を有効に活用でき、照明装置２の照度を高めることができる。【００４６】
本発明は、前記実施形態には限定されない。
例えば、前記各実施形態では、点状光源１０を長辺ＸＬの方向に沿って配列したが、短辺ＸＳの方向に沿って配列してもよい。また、前記各実施形態では、点状光源１０を導光板の各辺に沿って一列に配置したが、複数列に配置してもよい。さらに、点状光源１０の間隔を略均等な間隔としたが、これには限定されない。【００４７】
また、前記各実施形態では、一方の主面である光入射面から光を入射し、他方の主面である光出射面から光を出射したが、一方の主面のある箇所から入射し、当該一方の主面の他の箇所から出射するような構成としてもよい。【００４８】
前記各実施形態において、導光板の厚みを一定のものとしたが、これに限らず、不均一なものとしてもよい。厚みが不均一である導光板としては、例えば、導光板の中心側に向かって点状光源側から離れるにつれて薄くなるような形状、つまり、２つの楔形状の部材の厚みが薄い部分同士を突き合わせてなる態様や、点状光源の近傍のみを厚くした態様、点状光源に面する側の主面の断面を円弧や楕円弧、放物線弧等の曲線状にした態様等を挙げることができる。【００４９】
前記第１の実施形態において、関係（i）〜（iv）のすべての関係を満たすように構成したが、光を有効に利用できるのであれば、これらの関係を満たさなくてもよい。また、前記第２の実施形態において、関係（v）〜（vi）の関係を満たすように構成したが、光を有効に利用できるのであれば、これらの関係を満たさなくてもよい。【００５０】
前記第１の実施形態において、各凹部４０の頂点４０Ｔが入射面２２の位置となるようにし、各凹部４０の深さ寸法が導光板２０の厚み寸法に一致するようにしたが、このような態様には限定されない。例えば、導光板の厚み寸法が凹部の深さ寸法より大きくなる構成としてもよい。また、凹部を構成する円錐面の頂点部分が導光板内置からはみ出る位置となるように構成してもよい。【００５１】
前記第１の実施形態において、点状光源１０の中心１０Ｔが母線Ｍの中間点Ｃ（直線ＡＢの中点）の直下に位置するような構成としたが、これには限定されず、十分な光学性能を確保できれば、点状光源１０の中心１０Ｔが母線Ｍの中間点Ｃの直下ではない構成としてもよいし、母線Ｍの直下から外れる構成としてもよい。【００５２】
前記第１の実施形態において、凹部４０を導光板１０の端部を切り欠くように形成したが、例えば、端部を切り欠くことなく、一方の主面の一部が凹むようにして形成してもよい。【００５３】
前記第１の実施形態において、各凹部の寸法をすべて同一の寸法としたが、部分的に寸法が異なっていてもよいし、ある規則性を持たせて寸法が変化するようにしてもよい。【００５４】
前記第２の実施形態において、各線状プリズムの長手方向を点状光源の配列方向に垂直な方向（前記実施形態では短辺ＸＳの方向）としたが、これには限定されない。【００５５】
前記第２の実施形態において、各線状プリズムの寸法をすべて同一の寸法としたが、部分的に寸法が異なっていてもよいし、ある規則性を持たせて寸法が変化するようにしてもよい。【００５６】
前記第２の実施形態において、各線状プリズムをレンチキュラー状としたが、断面が曲線を含まない形状、例えば、断面三角形や四角形等の多角形状のプリズムとすることができる。この場合においても、各線状プリズムの寸法は上記と同じように同寸法でなくてもよい。【００５７】
前記第２の実施形態において、プリズム条列を光入射面側にのみ形成したが、図１０，図１１に示すように、傾斜平面上にのみ当該傾斜平面から突出するように形成してもよい。また、光入射面側および傾斜平面の両方に形成してもよいし、光入射面側および傾斜平面上の少なくともいずれかの箇所に連続して形成するようにしてもよい。これらの態様において、プリズム条列を構成する各線状プリズムは、点状光源の配列方向に垂直な方向（前記実施形態では短辺ＸＳの方向）に平行であることが好ましい。このような態様のプリズム条列においても前述した変形の態様がすべて含まれる。【００５８】
また、前記実施形態および変形例に係る照明装置において、導光板の光出射側にさらに輝度向上および輝度むら改善のための光学部材を適宜配置してもよい。このような光学部材としては、例えば拡散シートおよびプリズムシートを挙げることができる。また、より一層の輝度向上を図る目的で、反射型偏光子を配置してもよい。
【実施例】
【００５９】
以下に、実施例を挙げて本発明をさらに詳細に説明するが、本発明はこれらの実施例により何ら限定されない。【００６０】
＜実施例１＞
所定形状の金型部品を射出成形機（型締め力５，３９０ｋＮ）に用い、脂環式構造を有する樹脂(日本ゼオン社製、「ゼオノア１０６０Ｒ」、屈折率１．５３)を原料として、シリンダー温度２８０度、金型温度８５度の条件下で、図１に示す形状の導光板２０を成形した。得られた導光板は、厚み５ｍｍ、幅５２８ｍｍ×奥行き３９６ｍｍの平面視長方形状の平板状である。本導光板の長辺部には、直径部分（半径５．８ｍｍ）が当該長辺部の位置となる半円錐状の凹部が２５ｍｍの均等な間隔で複数形成されている。この凹部の頂角は６０度である。前記導光板は、その凹部の頂点が導光板の下側の主面の位置となるように成形されている。
さらに図１６及び図１７に示すように、導光板２０の下側の主面２２の一部の領域１４２０Ｄに白インキでの円形ドットを印刷した。長辺側端部から１０ｍｍまでの領域（図１６において線１４２０ＢD１より上側の領域１４２０ＮＤ）には印刷を行なわなかった。ドットの配置は、縦横ピッチ１６０１Ｌ及び１６０１Ｗがいずれも０．２ｍｍの正方格子とした。ドットの直径は、長辺側端部に最も近いもの（図１６における径１６０３Ｄ）で直径０．０８ｍｍ、図１７において線１４２０ＢＤ２で示される導光板中央に最も近いもの（図１７における径１６１３Ｄ）で直径０．２ｍｍとし、線１４２０ＢＤ１からの距離に比例して直径を増加させた。【００６１】
次いで、図１３に示すように、長手方向５５１ｍｍ、短手方向４０１ｍｍの略矩形の乳白色プラスチック製板を折り曲げたようなクランク形状の部材５００を作成した。部材５００は、長方形板状の中央部５１０と、中央部５１０の長辺部分に形成され、中央部５１０よりも所定長だけ下がった段差部５２０とを備えている。【００６２】
段差部５２０の上には、放熱用に０．５ｍｍのアルミ板５３０を設置した。次いで、部材５００の上面側（ただし、段差部５２０では、アルミ板５３０の上面側）に、反射シート（東レ社製、Ｅ−６０Ｌ）５４０を貼着して基板とした。段差部５２０の上に、点状光源である砲弾タイプの白色ＬＥＤ５５０（日亜化学工業株式会社製、ＮＳＰＷ５００ＢＳ、大きさ：φ５ｍｍ、半値放射角２０度（β））を設置した。この際、白色ＬＥＤの中心間距離が２５ｍｍとなるように設置し、各ＬＥＤの電極部に直流電流を供給できるように配線した。次いで、中央部５１０の上に、当該導光板２０の各凹部の頂点を通る母線Ｍの中間位置の直下に白色ＬＥＤの中心が位置するようにして前記導光板を設置して、照明装置を作成した。なお、白色ＬＥＤの頂点と前記導光板の光入射面との距離ＬＹは１ｍｍであり、段差部５２０の幅寸法Ｌ１は１０ｍｍである。【００６３】
このような照明装置について、以下のようにして平均内部照度および内部照度むらを算出して、評価した。【００６４】
ここで、平均内部照度および内部照度むらは、光線追跡シミュレーションソフト（Ｌｉｇｈｔ  Ｔｏｏｌｓ：Ｏｐｔｉｃａｌ  Ｒｅｓｅｒｃｈ  Ａｓｓｏｃｉａｔｅｓ）を用いて求めた。なお、算出するにあたり、導光板は光源の配列方向に無限の長さを有するものとし、前述した所定のピッチで点状光源を配置するものとしモデル化した。このようなモデル化は、計算の精度を上げるための措置であり、点状光源を有限個使用し、導光板が有限の長さを有する現実の場合にも、十分に適合するものである。【００６５】
なお、平均内部照度とは、点状光源の光入射面の端部から３０ｍｍ位置において、一方の長辺部側の点状光源列による、点状光源の配列方向に平行に導光板の厚さ方向の断面で算出した内部照度を指数表示したものである。また、内部照度むらとは、前記断面での内部照度の標準偏差と平均内部照度の比を指数表示したものである。前記断面での平均内部照度が高いということは、導光板内部へ光源の光量がより多く反射面部分（導光板の下側面：光出射側となる主面に対向する主面）に伝播され、光出射面の平均輝度がより高くなるということを意味し、また、前記断面での内部照度むらが小さいということは、導光板の前記反射面部分に均一に光量が配分され、光出射面の輝度むらがより小さくなることを示す。【００６６】
ここで、導光板の厚み方向と母線Ｍとのなす角度α＝６０度であり、導光板を構成する材料の屈折率が１．５３であり、各白色ＬＥＤの半値放射角度をβ＝２０度であるため、α０＝ａｒｃｓｉｎ（１／Ｎ）＋ａｒｃｓｉｎ（（ｓｉｎβ）／Ｎ）＝５３．７３度であり、０．８×α０＜α＜１．２×α０の前記関係（（i），（ii））を満たしていた。さらに、前記導光板の厚みＨ＝５ｍｍであり、凹部と当該凹部が形成された主面とのなす円弧の弦の長さをＬ＝５．８ｍｍであるため、Ｄ０＝２×Ｈ／ｔａｎα＝５．８ｍｍであり、０．８×Ｄ０＜Ｌ＜１．２×Ｄ０の前記関係（（iii），（iv））を満たしていた。このような実施例１の照明装置では、平均内部照度（相対値）が９４であり、内部照度むら（相対値）が８５であった。また、白色ＬＥＤから当該導光板の内部に入射した全光のうちの７０．５％の光が、その方向を導光板内部側へ変換されていた。また、導光板内における半値放射角ωは、３５．９度であった。【００６７】
さらに、本実施例の照明装置の、出射照度を算出した。
計算には前記の光線追跡シミュレーションソフトウェアを用いた。計算の対象として、図１に示す導光板２０の一つの光源に対応する部分として、図１４及び図１５に示す導光板を想定した。図１４及び図１５に示す導光板１４２０は、図１に示す導光板２０の長辺２６Ｌの長さに対応する方向１４２０Ｗの長さを２５ｍｍとし、その中心に光源１０を配置した。方向１４２０Ｗに直交する方向１４２０Ｌ２の長さは２００ｍｍとした。入光側端面１４２０Ｂの形状は前記の通りである。反入光側端面１４２０Ｅは吸収面、左右の端面１４２０Ｓ１及び１４２０Ｓ２は鏡面の１００％反射面とした。このようなモデル化は、導光板の一部のみを取り出して計算を行い、計算時間を節約するための措置であり、導光板がモデルを複数組み合わせた大きさを有する現実の場合にも、十分適合するものである。
入光面側の底面１４２０ＢＴには、上記において図１６及び図１７を参照して説明したとおりのドットを、線１４２０ＢＤ１より光源から遠い側の領域１４２０Ｄに配置することとした。領域１４２０Ｄの長さ１４２０Ｌ１は１９０ｍｍとした。ドット部分はランバート反射面、その他の部分は平滑面とした。一方、上側の主面１４２０Ｔは平滑面とした。なお上で述べた平均内部照度を算出した平面は、図１４及び図１５における面１４２０ＢＤ３に相当する（端部１４２０Ｂから面１４２０ＢＤ３までの距離１４２０Ｌ３は３０ｍｍ）。
このような導光板の、上側の主面１４２０Ｔから出射する光の出射照度を求めた。結果を図１８に示す。図１８において、横軸は、端部１４２０Ｂを１００ｍｍ、端部１４２０Bから１００ｍｍの位置を０ｍｍとしたときの位置を示し、縦軸は、かかる距離における点から出射する光の出射照度を示す。さらに、面１４２０ＢＤ３における、１４２０Ｗ方向の位置と内部照度との関係を図１９に示す。図１９において、横軸は、１４２０Ｗ方向の中心からの距離を示し、縦軸はかかる距離における点における出射する光の出射照度を示す。【００６８】
＜実施例２＞
本実施例は、実施例１とは、点状光源の配置位置および導光板の光入射部分の形状が相違する。本実施例では、所定形状の金型部品を射出成形機（型締め力５，３９０ｋＮ）に用い、脂環式構造を有する樹脂(日本ゼオン社製、「ゼオノア１０６０Ｒ」、屈折率１．５３)を原料として、シリンダー温度２８０度、金型温度８５度の条件下で、図７〜９に示す形状の導光板１００を成形した。この導光板１００は、厚み５ｍｍ、幅５２８ｍｍ×奥行き３９６ｍｍの平面視長方形状で、長辺部に傾斜平面１２０が形成された平板状のものである。傾斜平面１２０の傾斜角度θは６０°である。導光板１００の下側の面である光入射面１１２に形成されたプリズム条列１３０を構成する各線状プリズム１３２は、長手方向の長さが２．８９ｍｍであって、長手方向に垂直な断面が半円形であり、その半径が１００μｍ、高さが１００μｍである。このようにして得られた導光板１００を図７に示すように配置した。すなわち、白色ＬＥＤは、その中心位置が線状プリズムの長手方向の中心位置となるように配列した。【００６９】
ここで、傾斜平面の、当該導光板の厚み方向に対する傾斜角度θ＝６０度であり、導光板を構成する材料の屈折率が１．５３であり、各白色ＬＥＤの半値放射角度β＝２０度であるため、θ０＝ａｒｃｓｉｎ（１／Ｎ）＋ａｒｃｓｉｎ（（ｓｉｎβ）／Ｎ）＝５３．７３度であり、０．８×θ０＜θ＜１．２×θ０の前記関係（（v），（vi））を満たしていた。
このような実施例２の照明装置では、平均内部照度（相対値）が１１２であり、内部照度むら（相対値）が７０であった。また、白色ＬＥＤから当該導光板の内部に入射した全光のうちの８４．１％の光が、その方向を導光板内部側へ変換されていた。また、導光板内における半値放射角ωは、３０．７度であった。【００７０】
さらに、図１４及び図１５に示す導光板であって、点状光源の配置及び導光板の光入射部分の形状を本実施例の通り変更したものについて、その出射照度と端部１４２０Ｂからの距離との関係、及び面１４２０ＢＤ３における出射照度と１４２０Ｗ方向の位置との関係を、実施例１と同様に計算した。結果を図１８及び図１９に示す。【００７１】
＜比較例１＞
比較例１では、実施例２の導光板においてプリズム条列を形成しなかった以外は、実施例２と同様にして射出成形により導光板を得た後、照明装置を得た。比較例１の照明装置では、平均内部照度（相対値）が１００であり、内部照度むら（相対値）が５３６であった。また、白色ＬＥＤから当該導光板の内部に入射した全光のうちの７５．３％の光が、その方向を導光板内部側へ変換されていた。また、導光板内における半値放射角ωは、１６．０度であった。【００７２】
さらに、図１４及び図１５に示す導光板であって、点状光源の配置及び導光板の光入射部分の形状を本比較例の通り変更したものについて、その出射照度と端部１４２０Ｂからの距離との関係、及び面１４２０ＢＤ３における出射照度と１４２０Ｗ方向の位置との関係を、実施例１と同様に計算した。結果を図１８及び図１９に示す。【００７３】
＜比較例２＞
比較例２は、実施例１の導光板において凹部の位置を変更した以外は、実施例１と同様にして照明装置を得た。図１２は、比較例２に係る照明装置を示す縦断面図である。図１２に示すように、比較例２の導光板は、導光板の端部（長辺部）と各凹部の頂点との距離ＬＺが２．９ｍｍである。また、導光板の下側の主面と白色ＬＥＤの発光面との距離ＬＹは１ｍｍである。なお、図示を省略するが、複数の凹部は２５ｍｍピッチで導光板の長辺部方向に沿って設けられている。さらに、白色ＬＥＤは、これらの凹部に対応してそれぞれ配置されている。比較例２では、白色ＬＥＤから入射する全光の５０％が導光板の内部側もしくは白色ＬＥＤの配列方向以外の方向に向かっていた。このような比較例２の照明装置では、平均内部照度（相対値）が７３であり、内部照度むら（相対値）が１００であった。また、白色ＬＥＤから当該導光板の内部に入射した全光のうちの４８．０％の光が、その方向が導光板内部側へ変換されていた。また、導光板内における半値放射角ωは、３５．４度であった。【００７４】
さらに、図１４及び図１５に示す導光板であって、点状光源の配置及び導光板の光入射部分の形状を本実施例の通り変更したものについて、その出射照度と端部１４２０Ｂからの距離との関係、及び面１４２０ＢＤ３における出射照度と１４２０Ｗ方向の位置との関係を、実施例１と同様に計算した。結果を図１８及ぶ図１９に示す。【００７５】
実施例１は、比較例２に比べて平均内部照度が高く、かつ内部照度むらも少ない、また、比較例１に比べて平均内部照度が若干低いものの内部照度むらが圧倒的に小さいため、優れていた。また、実施例２は、比較例１，２に比べて平均内部照度が高く、かつ内部照度むらも小さいため、優れていた。【００７６】
図１８及び図１９に示す結果から明らかな通り、実施例１及び実施例２の照明装置は、比較例１の照明装置に比べ出射照度が若干低いものの、１４２０BD３における１４２０W方向の出射照度むらが圧倒的に小さい。また、実施例１及び実施例２の照明装置は、比較例２の照明装置に比べ出射照度が高い。
【図１】
2009001802.tif 000003
【図２】
2009001802.tif 000004
【図３】
2009001802.tif 000005
【図４】
2009001802.tif 000006
【図５】
2009001802.tif 000007
【図６】
2009001802.tif 000008
【図７】
2009001802.tif 000009
【図８】
2009001802.tif 000010
【図９】
2009001802.tif 000011
【図１０】
2009001802.tif 000012
【図１１】
2009001802.tif 000013
【図１２】
2009001802.tif 000014
【図１３】
2009001802.tif 000015
【図１４】
2009001802.tif 000016
【図１５】
2009001802.tif 000017
【図１６】
2009001802.tif 000018
【図１７】
2009001802.tif 000019
【図１８】
2009001802.tif 000020
【図１９】
2009001802.tif 000021
【図２０】
2009001802.tif 000022
【図２１】
2009001802.tif 000023
【図２２】
2009001802.tif 000024
【図２３】
2009001802.tif 000025
【図２４】
2009001802.tif 000026
【図２５】
2009001802.tif 000027
【図２６】
2009001802.tif 000028
【国際調査報告】
2009001802.tif 000029
2009001802.tif 000030
2009001802.tif 000031
2009001802.tif 000032